(57)【特許請求の範囲】
【請求項１】
後側の第１端部と、前側の第２端部と、前後方向における中程に設けられた第１軸と、を有した本体部と、
前記本体部に近い側の端部の近傍に位置する第２軸と、表示画面と、を有した表示部と、
前記第１軸と前記第２軸とを連結するとともに途中に屈曲部を有し、前記第２軸を前記第１端部の近傍に位置させた第１位置と、前記第２軸を前記第２端部の近傍に位置させた第２位置と、の間で回動するように前記第１軸周りに回動可能なアーム部と、
前記アーム部が前記第２位置にあるときに、前記屈曲部で迂回された位置で前記本体部に設けられた部品と、
を備える電子機器。
【請求項２】
前記第２位置にある前記アーム部は、前記部品とは反対側に向けて凸になるように曲がった請求項１に記載の電子機器。
【請求項３】
前記本体部は、窪み部を有し、該窪み部は、前記屈曲部に沿って窪むとともに、前記アーム部が前記第１位置にあるときに前記アーム部を収納できる請求項１に記載の電子機器。
【請求項４】
前記第１位置および前記第２位置にある前記アーム部に所定のトルクを付与して前記アーム部を前記第１軸周りに回動しにくくする付与部を備える請求項１に記載の電子機器。
【請求項５】
前記第２端部は、前記本体部の他の部分よりも厚み寸法が小さくなっており、
前記第２軸は、前記アーム部が前記第２位置にあるときに前記第２端部に重なる請求項１に記載の電子機器。
【請求項６】
前記本体部は、前記アーム部が前記第１位置にあるときに、前記表示部の前記本体部に近い側の端部を収納する凹部を有する請求項１に記載の電子機器。
【請求項７】
前記本体部は、
前記表示部に対向するとともにキーボードが設けられた第１面と、
前記第１面とは反対側の第２面と、
前記キーボードを外れた位置で前記本体部に設けられるとともに、前記第１位置にある前記アーム部を収納できる窪み部と、
を有し、
前記第１軸は、前記第１面と前記第２面との間の位置に設けられ、
前記アーム部が前記第１位置にあるときに、前記表示部は前記キーボードよりも後側に位置される請求項１に記載の電子機器。
【請求項８】
後側の第１端部と、前側の第２端部と、前後方向における中程に設けられた第１軸と、を有した本体部と、
前記本体部に近い側の端部の近傍に位置する第２軸と、表示画面と、を有した表示部と、
前記第１軸と前記第２軸とを連結するとともに途中に屈曲部を有し、前記第２軸を前記第１端部の近傍に位置させた第１位置と、前記第２軸を前記第２端部の近傍に位置させた第２位置と、の間で回動するように前記第１軸周りに回動可能なアーム部と、
前記アーム部が前記第１位置にあるときに、前記屈曲部で迂回された位置で前記本体部に設けられた部品と、
を備える電子機器。
【請求項９】
前記第１位置にある前記アーム部は、前記部品とは反対側に向けて凸になるように曲がった請求項８に記載の電子機器。
【請求項１０】
前記本体部は、窪み部を有し、該窪み部は、前記屈曲部に沿って窪むとともに、前記アーム部が前記第２位置にあるときに前記アーム部を収納できる請求項８に記載の電子機器。
【請求項１１】
前記第１位置および前記第２位置にある前記アーム部に所定のトルクを付与して前記アーム部を前記第１軸周りに回動しにくくする付与部を備える請求項８に記載の電子機器。
【請求項１２】
前記第２端部は、前記本体部の他の部分よりも厚み寸法が小さくなっており、
前記第２軸は、前記アーム部が前記第２位置にあるときに前記第２端部に重なる請求項８に記載の電子機器。
【請求項１３】
前記本体部は、前記アーム部が前記第１位置にあるときに、前記表示部の前記本体部に近い側の端部を収納する凹部を有する請求項８に記載の電子機器。
【請求項１４】
前記本体部は、
前記表示部に対向するとともにキーボードが設けられた第１面と、
前記第１面とは反対側の第２面と、
を有し、
前記第１軸は、前記第１面と前記第２面との間の位置に設けられ、
前記アーム部が前記第１位置にあるときに、前記表示部は前記キーボードよりも後側に位置される請求項８に記載の電子機器。
【請求項１５】
後側の第１端部と、前側の第２端部と、前後方向における中程に設けられた第１軸と、を有した本体部と、
前記本体部に近い側の端部の近傍に位置する第２軸と、表示画面と、を有した表示部と、
前記本体部に設けられた窪み部と、
前記本体部の前記表示部と対向する面に設けられた操作部と、
前記第１軸と前記第２軸とを連結するとともに途中に屈曲部を有し、前記第２軸を前記第１端部の近傍に位置させるとともに前記屈曲部が前記窪み部に収納された第１位置と、前記第２軸を前記第２端部の近傍に位置させるとともに前記屈曲部が前記窪み部から出た第２位置と、の間で回動するように前記第１軸周りに回動可能なアーム部と、
を備える電子機器。
【発明の詳細な説明】
【技術分野】
【０００１】
本発明の実施形態は、表示部を有する電子機器に関する。
【背景技術】
【０００２】
情報処理装置において、本体と蓋体とを回動アームで回動可能に連結したものが知られている。
【先行技術文献】
【特許文献】
【０００３】
【特許文献１】特開平９−３０５２６２号公報
【発明の概要】
【発明が解決しようとする課題】
【０００４】
今日、ノートブック型のコンピュータや、タブレット型のコンピュータ等が広く普及している。ユーザの利便性を向上させる電子機器の形状が望まれる。
【課題を解決するための手段】
【０００５】
実施形態の電子機器は、後側の第１端部と、前側の第２端部と、前記第１端部および前記第２端部に連続する一対の第１側面と、を含んだ第１筐体と、前記第１側面の近傍で前後方向における中程に一対に設けられた第１軸と、を有した本体部と、一対の第２側面と、前記本体部に近い側の端部と、を含んだ第２筐体と、前記第２側面の近傍で前記本体部に近い側の端部の近傍に位置する一対の第２軸と、表示画面と、を有した表示部と、前記第１軸と前記第２軸とを連結するとともに途中に屈曲部を有し、前記第２軸を前記第１端部の近傍に位置させた第１位置と、前記第２軸を前記第２端部の近傍に位置させた第２位置と、の間で回動するように前記第１軸周りに回動可能な一対のアーム部と、前記アーム部が前記第２位置にあるときに、前記屈曲部で迂回された位置で前記本体部の前記第１側面の近傍に設けられた部品と、を備える。
【図面の簡単な説明】
【０００６】
【図１】第１の実施形態の電子機器の一例であるポータブルコンピュータを示した斜視図。
【図２】図１に示すポータブルコンピュータを後方から見た斜視図。
【図３】図１に示すポータブルコンピュータを左側から見た側面図。
【図４】図１に示すポータブルコンピュータの本体部の後方に設けられる凹部を示した斜視図。
【図５】図１に示すポータブルコンピュータに設けられる一対の窪み部を示した斜視図。
【図６】図１に示すポータブルコンピュータの一対のアーム部のうち、右側のアーム部を示した斜視図。
【図７】図１に示すポータブルコンピュータの本体部の水平方向に沿った断面図。
【図８】図１に示すポータブルコンピュータの表示部のマスクを取り外した状態で表示部内を示した平面図。
【図９】図１に示すポータブルコンピュータの本体キャビネットの第１ケースを取り外した状態で内部を示した斜視図。
【図１０】図６に示すアーム部を長手方向と交差する方向に切断して示す断面図。
【図１１】図１に示すポータブルコンピュータの可搬形態を示す斜視図。
【図１２】図１１に示すポータブルコンピュータの通常の使用形態を示す斜視図。
【図１３】図１２に示すポータブルコンピュータのアーム部を第１位置から第２位置に移動する途中の形態を示す斜視図。
【図１４】図１３に示すポータブルコンピュータのアーム部を第２位置にある第１のタブレット形態を示した斜視図。
【図１５】図１４に示すポータブルコンピュータの表示部を第２軸周りに回動させ、第２のタブレット形態とした状態を示した斜視図。
【図１６】図１２に示すポータブルコンピュータの本体部および表示部の一部を縦方向（アーム部の延びる方向に沿った方向）に切断して内部を示した斜視図。
【図１７】図１５に示すポータブルコンピュータの本体部および表示部の一部を縦方向（アーム部の延びる方向に沿った方向）に切断して内部を示した斜視図。
【図１８】第２の実施形態の電子機器の一例であるポータブルコンピュータのアーム部が第１位置にある状態を示した断面図。
【図１９】図１８に示すポータブルコンピュータのアーム部が第２位置にある状態を示す断面図。
【図２０】第３の実施形態の電子機器の一例であるポータブルコンピュータのアーム部が第１位置にある状態を示した斜視図。
【図２１】図２０に示すポータブルコンピュータのアーム部が第２位置にある状態を示す斜視図。
【発明を実施するための形態】
【０００７】
以下、図１から図１７を参照して、電子機器の第１の実施形態について説明する。以下の実施形態では、手前側（即ちユーザ側）を前方向Ｆ、ユーザから見て奥側を後方向Ｂ、ユーザから見て左側を左方向Ｌ、ユーザから見て右側を右方向Ｒ、ユーザから見て上方を上方向Ｕ、ユーザから見て下方を下方向Ｄと定義する。前方向Ｆは、表示画面２２Ａが向いた方向（側）、或いはタッチパネル２３の入力面が向いた方向（側）に対応する。後方向Ｂは、表示画面２２Ａが向いた方向（側）とは反対の方向（側）、或いはタッチパネル２３の入力面が向いた方向（側）とは反対の方向（側）に対応する。右方向Ｒは、ユーザの右手側（右手の方向）、ユーザの右手で操作される方向（側）、或いはユーザの右手に近い方向（側）に対応する。左方向Ｌは、ユーザの左手側（左手の方向）、ユーザの左手で操作される方向（側）、或いはユーザの左手に近い方向（側）に対応する。上方向Ｕは、表示部１３が配置される方向（側）、或いは本体部１２のキーボードが設けられる方向（側）に対応する。下方向Ｄは、本体部が配置される方向（側）、或いは本体部のキーボードが設けられる方向（側）とは反対の方向（側）に対応する。
【０００８】
電子機器の一例であるポータブルコンピュータ１１は、全体を統括的に制御するＣＰＵ等が実装された第１のプリント回路板８３が設けられた本体部（第１ユニット）１２と、表示画面２２Ａが設けられた表示部（第２ユニット）１３と、本体部１２と表示部１３とを回動可能に連結した一対のアーム部１４と、を備えている。
【０００９】
図１、図８、図９に示すように、表示部１３は、ディスプレイキャビネット２１（表示ケース、第２筐体）と、ディスプレイキャビネット２１内に収納されるとともに、外部に露出された表示画面２２Ａに画像を表示させる表示パネル（表示装置、パネル）２２と、表示パネル２２よりも外側に設けられ表示パネル２２の表面を覆うように外部に露出して設けられたタッチパネル２３（タッチセンサ、検知部、検出部、覆い部）と、ディスプレイキャビネット２１の一部に取り付けられるカメラ（レンズ、撮像部、撮像装置、電子部品）２４と、ディスプレイキャビネット２１の上部（表示パネル２２よりも本体部から遠い側の端部）でディスプレイキャビネット２１内に設けられるアンテナ（送信部、受信部、無線通信部）２５と、表示パネル２２の下側に隣接して（表示パネル２２の近傍に、表示パネル２２とは上下方向に並んで）設けられる第２のプリント回路板２６と、ディスプレイキャビネット２１内に設けられる第２金具２７（第２支持部）と、第２金具２７に回転可能に支持される第２軸２８（第２回転中心、第２支え部）と、第２金具２７をディスプレイキャビネット２１のカバー３３に固定するための固定部材３１（ねじ、係合部）と、第２軸２８にトルクを付与する第２付与部（第２ブレーキ部、第２抵抗ユニット）４２と、を有している。本実施形態では、固定部材３１がねじで構成されているが、固定部材３１の例としてはこれに限定されるものではなく、ねじ以外に、係合用の爪部、フック、その他の部品・部材等であってもよい。
【００１０】
ディスプレイキャビネット２１は、表示パネル２２およびタッチパネル２３の前方向Ｆを覆う枠状のマスク（第３ケース）３２と、表示パネル２２の後方向Ｂを覆うカバー（第４ケース）３３と、を含んでいる。ディスプレイキャビネット２１は、一方の端部３４（本体部に表示パネル２２よりも近い側の端部、一方の辺）と、一方の端部３４とは反対側の他方の端部３５（表示パネル２２よりも本体部に遠い側の端部、他方の辺）と、表示画面２２Ａが露出される第３面３６と、第３面３６とは反対側の第４面３７と、第３面３６および第４面３７と交差するとともに一方の端部３４および他方の端部３５と連続した一対の第２側面３８と、を有している。第２軸２８は、一方の端部３４の近傍（一方の端部３４に隣接した位置で、一方の端部３４に沿って）に一対に設けられ、表示部１３とアーム部（連結部、接続部）１４とに亘っている。
【００１１】
図８に示すように、ディスプレイキャビネット２１内には、本体部１２の第１のプリント回路板８３と表示部１３の第２のプリント回路板２６とを接続したハーネス４１（ＬＣＤハーネス、ケーブル）の一部が配置されている。ハーネス４１の一部は、ディスプレイキャビネット２１の一方の端部３４（表示パネル２２よりも本体部に近い側の端部）付近からディスプレイキャビネット２１内に通されて、第２金具２７および固定部材３１を迂回しつつ、ほぼ最短距離（一方の端部３４に沿って直線的に延びて）で第２のプリント回路板２６に接続される。このため、ハーネス４１を通すためにディスプレイキャビネット２１と表示パネル２２との間に無駄なスペースを設ける必要がなく、ディスプレイキャビネット２１が極力小さく構成される。
【００１２】
第２のプリント回路板２６は、ケーブル等を介して表示パネル２２およびタッチパネル２３に接続される。第２のプリント回路板２６は、例えば、表示パネル制御用の第１の回路部（回路部品、第１の制御部）２６Ａと、タッチパネル制御用の第２の回路部（回路部品、第２の制御部）２６Ｂと、を有している。第２付与部４２は、第２軸２８にトルク（抵抗力）を付与して表示部１３に対して第２軸２８を回転しにくくし、これによって表示部１３を任意の角度で保持・固定することができる。
【００１３】
図２に示すように、カバー３３には、ディスプレイキャビネット２１の第２側面３８に沿って延びた溝状（スリット状、長穴状）の第２窪み部（第２開口部、第２凹所）４３が、表示部１３の左右方向の両端部に一対に設けられており、各第２窪み部４３は、カバー３３の表面からマスク３２方向に向けて窪んでいる。第２窪み部４３は、表示画面２２Ａを本体部１２とは反対の方向に向けて表示部１３が本体部１２に重なるいわゆるタブレット形態（重複形態、折り畳み形態）で、その内側にアーム部１４の一部（第２端５３、第２部分５４、屈曲部５５等）を収納することができる（図１７参照）。表示パネル２２は、例えば、液晶ディスプレイパネルで構成されているが、例えばプラズマディスプレイパネル、有機ＥＬ、プラスチックディスプレイパネル、シートディスプレイパネル等、他の種類のディスプレイパネルであってもよい。
【００１４】
図１に示すように、一対のアーム部１４は、表示部１３および本体部１２の左右両端部の近傍に設けられている。言い換えると、一対のアーム部１４は、表示部１３の第２側面３８および本体部１２の第１側面６８の近傍に設けられている。このようなアーム部１４の配置によって、表示部１３および本体部１２の内部の部品の実装に制約を与えない設計となっている。
【００１５】
アーム部１４の一方は、アーム部１４の他方と左右対称形（鏡像）に形成されている。アーム部１４のそれぞれは、剛性を有した（剛体からなる）棒状（ポール状、パイプ状、ダクト状）をなしており、より具体的には、第２位置Ｐ２にあるときに、全体として後述する第２コネクタ９４（部品）のある方向とは反対側に凸になった（突出した、張り出した）弓形（円弧状、アーチ状）の棒状をなしている（図１、図１７等参照）。アーム部１４は、例えば合成樹脂材料によって断面（切り口）が方形（四角形）で中空（内側に空洞を有する）の形状に形成されている。アーム部１４の材質は、合成樹脂材料に限られず、金属やその他の材料（例えば、セラミックス、繊維強化プラスチック（ＦＲＰ）等）であってもよい。アーム部１４の内部にある中空の部分が収納部を構成している。図９に示すように、左側のアーム部１４の収納部内に本体部１２の第１のプリント回路板８３と表示部１３の第２のプリント回路板２６とを接続したハーネス４１（ＬＣＤハーネス、ケーブル）が通される。右側のアーム部１４の収納部内には、本体部１２の第１のプリント回路板８３と表示部１３のカメラ２４とを接続する第１ケーブル４４と、本体部１２の第１のプリント回路板８３と表示部１３のアンテナ２５とを接続する第２ケーブル４５と、が通される。図１０に示すように、例えば、各アーム部１４は、断面「Ｃ」字（「Ｕ」字）になった第１部材（本体部材）４６と、第１部材４６の内側の収納部（開口）を密閉（閉塞）するように第１部材４６に嵌る（嵌合する、係合する）蓋状（板状、栓状）の第２部材（嵌合部材、係合部材、板材）４７と、を有している。
【００１６】
図６等に示すように、アーム部１４のそれぞれは、本体部１２の第１軸（第１回転中心、第１支え部）８１に対して固定的（回転しないように）に設けられた第１端（第１保持部）５１と、第１端５１から直線的に（まっすぐに）延びる第１部分５２と、表示部１３の第２軸２８に対して固定的（回転しないように）に設けられた第２端（第２保持部）５３と、第２端５３から直線的に延びる第２部分５４と、第１部分５２と第２部分５４とを連結した屈曲部（湾曲部、角部、曲げ部）５５と、を有している（図６では、第１軸８１および第２軸２８の一部を示しており、実際の第１軸８１および第２軸２８は図７、図８に示すような長さ（アーム部の左右方向の幅よりも長い寸法、第１窪み部７２の左右方向の幅よりも長い寸法、本体部１２の第１側面６８から第１金具９５にまで至る寸法）を有する。なお、アーム部１４のそれぞれは、第１軸８１および第２軸２８に対して固定的に設けられている。しかしながら、第１軸８１は、本体部１２のそれ以外の部分に対して回転可能に設けられ、第２軸２８は、表示部１３のそれ以外の部分に対して回転可能に設けられているため、アーム部１４のそれぞれは、実質的に第１軸８１周りおよび第２軸２８周りに回動可能となっている。
【００１７】
図１、図４、図５に示すように、本体部１２は、例えば、合成樹脂によって箱状（容器状）に形成される本体キャビネット６１（本体ケース、第１筐体）を有している。本体キャビネット６１は、上側半部を構成した第１ケース６２と、下側半部を構成した第２ケース６３とを接合して形成されている。本体キャビネット６１は、後側の第１端部６４（第１辺、後面）と、第１端部６４とは反対側（前側）の第２端部６５（第２辺、前面）と、表示部１３に対向する第１面６６（上面）と、第１面６６とは反対側の第２面６７と、第１面６６および第２面６７とそれぞれ交差（直交）するとともに第１端部６４および第２端部６５と連続した一対の第１側面６８と、第１面６６上で第１端部６４の近傍に設けられ、表面から略半円（円弧状）に窪んだ凹部７１と、後述するキーボード（操作部、入力部）７６から外れた位置で第１面６６から窪んで設けられる一対の第１窪み部（第１開口部、第１凹所）７２と、を有している。図４等に示すように、第２端部６５は、第１面６６側に設けられ第１面６６に対して斜めになった（交差した、勾配をなした）第１傾斜部６５Ａと、第２面６７側に設けられ第２面６７に対して斜めになった（交差した、勾配をなした）第２傾斜部６５Ｂと、を有している。このため、第２端部６５は、本体部１２の他の部分よりも厚み寸法が小さくなっている。なお、本体キャビネット６１とディスプレイキャビネット２１により、ポータブルコンピュータ１１の筐体が構成されている。
【００１８】
図５等に示すように、本実施形態では、第１窪み部７２は、（第２コネクタ９４およびタッチパッド７７よりも）本体部１２の後方に寄って本体部１２の左右方向の両端部に一対に設けられている。各第１窪み部７２は、本体キャビネット６１の第１側面６８に沿って溝状に延びており、アーム部１４の屈曲部５５およびその他の部分に沿って窪んでいる。各第１窪み部７２は、後述する第１位置Ｐ１にあるアーム部１４が当接する第１斜面部（第１坂部、第１勾配）７３と、第２位置Ｐ２にあるアーム部１４に沿って斜めになった第２斜面部（第２坂部、第２勾配）７４と、第１斜面部７３と第２斜面部７４との間に設けられアーム部１４の屈曲部５５が当接する底部（中間部、当接部）７５と、を含んでいる。各第１窪み部７２は、第１位置Ｐ１にあるアーム部１４をその内側に収納することができる。
【００１９】
図１、図７等に示すように、本体部１２は、本体キャビネット６１の外側に取り付けられるキーボード７６と、本体キャビネット６１の外側に取り付けられるタッチパッド（タッチセンサ、接触感知部、ポインティングデバイス）７７およびボタン（操作部、タッチパッド用ボタン）７８と、第１端部（第１辺、後面）６４と第２端部（第２辺、前面）６５との間に設けられた第１軸８１と、本体キャビネット６１の内側で（メインバッテリ８７よりも）後方寄りに設けられるとともにＣＰＵ等の回路部品８２が実装された第１のプリント回路板８３と、回路部品８２を冷却するように一方の端部で回路部品８２と熱的に接続されたヒートパイプ（熱輸送手段、熱輸送部）８４と、ヒートパイプ８４の他方の端部に固定されるフィンユニット（フィン、複数のフィン、放熱板）８５と、本体キャビネット６１の内側に設けられヒートパイプ８４およびフィンユニット８５の冷却を促進するファンユニット（ファン、送風部、送風装置）８６と、本体キャビネット６１の内側に設けられるメインバッテリ８７（第１バッテリ）およびサブバッテリ８８（第２バッテリ）と、本体キャビネット６１の内側で第１のプリント回路板８３の近傍に設けられるとともに第１のプリント回路板８３とケーブル等を介して接続された記憶装置（記憶手段、ストレージデバイス）９１と、第１のプリント回路板８３に設けられ本体部１２後方（第１端部６４）で外界に露出された外部接続用の第１コネクタ９２と、本体キャビネット６１の内側前方寄りで第１のプリント回路板８３と分離して設けられるとともに第１のプリント回路板８３とフレキシブルケーブル等で接続されたコネクタ用の基板９３と、コネクタ用の基板９３上に設けられ第１側面６８で外界に露出された外部接続用の第２コネクタ９４（部品）と、第１軸８１を回転可能に支持する第１金具９５（第１支持部）と、第１金具９５を本体キャビネット６１に固定する固定部材３１（ねじ、係合部）と、第１軸８１にトルクを付与する第１付与部（第１ブレーキ部、第１抵抗ユニット）９６と、を有する。本実施形態では、固定部材３１がねじで構成されているが、固定部材３１の例としてはこれに限定されるものではなく、ねじ以外に、係合用の爪部、フック、その他の部品・部材等であってもよい。
【００２０】
第２コネクタ９４は、屈曲部５５で迂回された（屈曲部５５で避けた、屈曲部５５から外れた）位置（箇所、部位、地点）で本体部１２（の第１側面６８の近傍）に設けられる部品の一例であるが、部品の例としてはこれに限定されない。部品は、ハードディスクドライブやＳＳＤ等の記憶装置、バッテリ、回路部品を実装したプリント回路板、ヒートパイプやフィンユニット、ファンユニットを含む冷却装置、液晶ディスプレイ等の表示パネル、タッチパネル、アンテナ、カメラ、スピーカ等の音響部品、操作用のボタン、各種メモリーカードおよび各種認証用カードのスロット、無線ＬＡＮ等の通信用モジュール、およびその他の部品であってもよい。
【００２１】
第１軸８１は、本体部１２の前後方向の中程（中間部、中央部）に一対に設けられており、例えば、キーボード７６の前端７６Ａ或いはタッチパッド７７よりも後側で、キーボード７６の後端７６Ｂよりも前側に設けられている。第１軸８１は、第１面６６と第２面６７との間の位置に設けられている（図１６等参照）。記憶装置９１は、例えばハードディスクドライブ（ＨＤＤ）で構成されているが、ＳＳＤ（Solid State Drive）やそれ以外のフラッシュメモリー等の他の記憶手段であってもよい。第１付与部９６は、アーム部１４が、後述する第１位置Ｐ１および第２位置Ｐ２にあるときに、第１軸８１にトルク（抵抗力）を付与して第１軸８１を回転しにくくできる。
【００２２】
続いて、図１１から図１７を参照してポータブルコンピュータ１１の形態を変更する際の動作について説明する。
【００２３】
図１１では、表示画面２２Ａが本体部１２の方向を向いた状態（対向状態）で、表示部１３が本体部１２に重なった状態、いわゆる可搬形態（表示部１３が閉じた閉形態）となっている。そして、第２軸２８周りに表示部１３を回転させると、図１２に示すように、ノートブック型のポータブルコンピュータ１１の通常（表示部１３が開いた開形態）の使用形態となる。これらの状態では、アーム部１４は第１位置Ｐ１と呼ばれる位置にあり、この第１位置Ｐ１では表示部１３の第２軸２８は本体部１２の第１端部６４の近傍に位置している。図１６に示すように、アーム部１４が第１位置Ｐ１にあるときには、表示部１３の一方の端部３４は凹部（凹面、凹所）７１内に嵌って（嵌合して、係合して）これに収納される。このとき、表示部１３が本体部１２の第１端部６４よりも後ろ側（後方、奥側）には回り込まない設計となっているため、第１端部６４において第１コネクタ９２等の実装スペース（領域、設置場所）が確保される。
【００２４】
そして、この状態から図１３に示すように、ユーザの手で表示部１３等を把持（持って、掴んで）してアーム部１４を前方向に回動させると、表示部１３の第２軸２８が本体部１２の第２端部６５の近傍（付近）に位置（隣接して配置）される。このとき、図１４に示す状態となり、この位置のアーム部１４の位置を第２位置Ｐ２と呼ぶ。図１４に示す状態では、机上で使用する際の形態であり、いわゆるタブレット形態（机上形態）の一つである（第１のタブレット形態）。さらに、この状態から、表示部１３を第２軸２８周りに回転させると、図１５に示すように、表示画面２２Ａが本体部１２とは反対の方向を向いた状態で、表示部１３が本体部１２に重なった状態、つまりキーボード７６が隠れた（覆われた、収納された）タブレット形態となる（第２のタブレット形態）。この形態では、主としてユーザが手に持って使用したり、机上で使用したりすることを想定している。図１７に示すように、このタブレット形態では、表示部１３の第２軸２８は、本体部１２の第２端部６５（第１傾斜部６５Ａ）に重なっている。このため、本体部１２の厚み方向における寸法および表示部１３の厚み方向における寸法の大きくなりやすい軸（第２軸２８）周りで寸法（長さ、幅）が大きくなることが防止されている。また、アーム部１４が第２位置Ｐ２にあるときには、第２コネクタ９４（部品）が屈曲部５５によって迂回されて（屈曲部５５で避けて、屈曲部５５から外れて）いるため、アーム部１４が第２コネクタ９４と干渉する（当たる、ぶつかる、邪魔になる）ことがない（図１、図１７等参照）。
【００２５】
第１の実施形態によれば、ポータブルコンピュータ１１は、第１端部６４と、第１端部６４とは反対側の第２端部６５と、第１端部６４と第２端部６５との間に位置した第１軸８１と、を有する本体部１２と、本体部１２に近い側の端部の近傍に位置する第２軸２８と、表示画面２２Ａと、を有する表示部１３と、第１軸８１と第２軸２８とを連結するとともに途中に屈曲部（曲げ部）５５を有し、第２軸２８を第１端部６４の近傍（付近）に位置させた第１位置Ｐ１と、第２軸２８を第２端部６５の近傍に位置させた第２位置Ｐ２と、の間で回動するように第１軸８１周りに回動可能なアーム部１４と、アーム部１４が第２位置Ｐ２にあるときに、屈曲部５５で迂回された位置（屈曲部５５で避けた位置、屈曲部５５から外れた位置）で本体部１２に設けられた部品（部材、装置、器具）と、を備える。
【００２６】
この構成によれば、従来形のポータブルコンピュータに比して、アーム部１４および第１軸８１を追加するわずかな変更のみで通常の使用形態といわゆるタブレット形態の両方を実現でき、ユーザの利便性を向上できるとともに、ポータブルコンピュータ１１の重量増加および部品点数の増加を防止できる。また、部品が屈曲部５５で迂回されているため、第２位置Ｐ２にアーム部１４が位置したときに、部品とアーム部１４とが干渉することがない。これによって、部品の設置スペースを確保して本体部１２内のスペースを有効活用できるとともに、本体部１２の厚み寸法を低減して薄型化・小型化を実現できる。
【００２７】
第２位置Ｐ２にあるアーム部１４は、部品とは反対側に向けて凸になる（突出した、張り出した）ように曲がって（屈曲して、湾曲して）いる。これによれば、第２位置Ｐ２にあるアーム部１４が部品と干渉することがより一層防止され、部品の実装スペースの確保と本体部１２の小型化とが実現できる。
【００２８】
本体部１２は、窪み部（開口部、凹所）を有し、該窪み部は、屈曲部５５に沿って窪むとともに、アーム部１４が第１位置Ｐ１にあるときにアーム部１４を収納できる。この構成によれば、アーム部１４が第１位置Ｐ１にあるときに、アーム部１４のぐらつきを防止してアーム部１４の位置を安定させることができ、その結果表示部１３のぐらつきを防止できる。また、アーム部１４を収納して目立たなくすることができ、ポータブルコンピュータ１１の体裁を良好にすることができる。さらに、アーム部１４の回動角度を窪み部で規制できるため、別途にアーム部１４の回動角度を規制する部品が不要である。
【００２９】
ポータブルコンピュータ１１は、第１位置Ｐ１および第２位置Ｐ２にあるアーム部１４に所定のトルクを付与してアーム部１４を第１軸８１周りに回動しにくくする付与部（ブレーキ部、抵抗ユニット）を備える。この構成によれば、アーム部１４が第１位置Ｐ１および第２位置Ｐ２にあるときに、アーム部１４が浮き上がる（第１位置Ｐ１および第２位置Ｐ２から移動する）ことが防止され、表示部１３がぐらついてしまうことを防止できる。
【００３０】
アーム部１４は、本体部１２の表示部１３に対向する第１面６６に沿って曲がるとともに、第２位置Ｐ２にあるときに第１面６６上に載る。この構成によれば、アーム部１４が第２位置Ｐ２にあるときに表示部１３のぐらつきを防止できる。また、第２位置Ｐ２にあるアーム部１４が嵌る窪みなどを設ける必要がない分、第１面６６の内側にある本体部１２内部の部品の実装スペースを確保して、高密度実装を実現できる。
【００３１】
第２端部６５は、本体部１２の他の部分よりも厚み寸法が小さくなっており、第２軸２８は、アーム部１４が第２位置Ｐ２にあるときに第２端部６５に重なる。この構成によれば、アーム部１４が第２位置Ｐ２にあるときに、第２軸２８付近において厚み寸法が大きくなってしまうことを防止して、ポータブルコンピュータ１１の薄型化を図ることができる。
【００３２】
本体部１２は、アーム部１４が第１位置Ｐ１にあるときに、表示部１３の本体部１２に近い側の端部を収納する凹部７１を有する。これにより、アーム部１４が第１位置Ｐ１にあるときに表示部１３のぐらつきをより一層防止できる。
【００３３】
本体部１２は、表示部１３に対向するとともにキーボード７６が設けられた第１面６６と、第１面６６とは反対側の第２面６７と、キーボード７６を外れた位置で本体部１２に設けられるとともに、第１位置Ｐ１にあるアーム部１４を収納できる窪み部と、を有し、第１軸８１は、第１面６６と第２面６７との間の位置に設けられ、アーム部１４が第１位置Ｐ１にあるときに、表示部１３はキーボード７６よりも後側に位置される。この構成によれば、第１位置Ｐ１にあるときにアーム部１４は窪み部に収納され、第１軸８１、アーム部１４、および表示部１３がキーボード操作時に邪魔になることがなく、キーボード７６の操作性を良好にできる。
【００３４】
続いて、図１８、図１９を参照して、電子機器の第２の実施形態について説明する。第２の実施形態の電子機器の一例であるポータブルコンピュータ１１は、一対のアーム部（連結部、接続部）１４および第１窪み部７２の構成および第２コネクタ９４の位置が第１の実施形態と異なっているが、他の部分で第１の実施形態と概ね共通している。このため、主として第１の実施形態と異なる部分について説明し、共通する箇所については共通の符号を付して説明を省略する。
【００３５】
第２の実施形態では、アーム部（連結部、接続部）１４の一方が、アーム部１４の他方と左右対称形（鏡像）であることは第１の実施形態と同様である。しかしながら、一対のアーム部１４は、第１の実施形態のアーム部１４とは逆向きに凸になるように曲がっている。
【００３６】
アーム部１４のそれぞれは、剛性を有した（剛体からなる）棒状（ポール状、パイプ状、ダクト状）をなしており、より具体的には、第１位置Ｐ１にあるときに、全体として後述する第２コネクタ９４（部品）のある方向とは反対側に凸になった（突出した、張り出した）弓形（円弧状、アーチ状）の棒状をなしている。アーム部１４は、例えば合成樹脂材料によって断面（切り口）が方形（四角形）で中空（内側に空洞を有する）の形状に形成されている。左側のアーム部１４の内部の収納部内に本体部１２の第１のプリント回路板８３と表示部１３の第２のプリント回路板２６とを接続したハーネス４１（ＬＣＤハーネス、ケーブル）が通される。右側のアーム部１４の内部の収納部内には、本体部１２の第１のプリント回路板８３と表示部１３のカメラ２４とを接続する第１ケーブル４４と、本体部１２の第１のプリント回路板８３と表示部１３のアンテナ２５とを接続する第２ケーブル４５と、が通される。
【００３７】
アーム部１４のそれぞれは、本体部１２の第１軸（第１回転中心、第１支え部）８１に対して固定的（回転しないように）に設けられた第１端（第１保持部）５１と、第１端５１から直線的（まっすぐに）に延びる第１部分５２と、表示部１３の第２軸２８（第２回転中心、第２支え部）に対して固定的（回転しないように）に設けられた第２端（第２保持部）５３と、第２端５３から直線的に延びる第２部分５４と、第１部分５２と第２部分５４とを連結した屈曲部（湾曲部、角部、曲げ部）５５と、を有している。なお、第１軸８１は、本体部１２のそれ以外の部分に対して回転可能に設けられ、第２軸２８は、表示部１３のそれ以外の部分に対して回転可能に設けられているため、アーム部１４のそれぞれは、実質的に第１軸８１周りおよび第２軸２８周りに回動可能である。
【００３８】
本体部１２は、例えば、合成樹脂によって箱状（容器状）に形成される本体キャビネット６１（本体ケース、第１筐体）を有している。本体キャビネット６１は、後側の第１端部６４（第１辺、後面）と、前側の第２端部６５（第２辺、前面）と、表示部１３に対向する第１面６６（上面）と、第１面６６とは反対側の第２面６７と、第１面６６および第２面６７とそれぞれ交差（直交）するとともに第１端部６４および第２端部６５と連続した一対の第１側面６８と、第１面６６上で第１端部６４の近傍に設けられ、表面から略半円（円弧状）に窪んだ凹部７１と、後述するキーボード（操作部、入力部）７６から外れた位置で第１面６６から窪んで設けられる一対の第１窪み部（第１開口部、第１凹所）７２と、を有している。第２端部６５は、第１面６６側に設けられ第１面６６に対して斜めになった（交差した、勾配をなした）第１傾斜部６５Ａと、第２面６７側に設けられ第２面６７に対して斜めになった（交差した、勾配をなした）第２傾斜部６５Ｂと、を有している。このため、第２端部６５は、本体部１２の他の部分よりも厚み寸法が小さくなっている。なお、本体キャビネット６１とディスプレイキャビネット２１により、ポータブルコンピュータ１１の筐体が構成されている。
【００３９】
図１８等に示すように、本実施形態では、第１窪み部７２は、（第２コネクタ９４よりも）本体部１２の前方に寄って本体部１２の左右方向の両端部に一対に設けられている。各第１窪み部７２は、本体キャビネット６１の第１側面６８に沿って溝状に延びており、アーム部１４の屈曲部５５およびその他の部分に沿って窪んでいる。第１窪み部７２は、後述する第１位置Ｐ１にあるアーム部１４に沿って斜めになった第１斜面部（第１坂部、第１勾配）７３と、後述する第２位置Ｐ２にあるアーム部１４が当接する第２斜面部（第２坂部、第２勾配）７４と、第１斜面部７３と第２斜面部７４との間に設けられアーム部１４の屈曲部５５が当接する底部（中間部、当接部）７５と、を含んでいる。各第１窪み部７２は、第２位置Ｐ２にあるアーム部１４をその内側に収納することができる。
【００４０】
本体部１２は、本体キャビネット６１の外側に取り付けられるキーボード７６と、本体キャビネット６１の外側に取り付けられるタッチパッド（タッチセンサ、接触感知部、ポインティングデバイス）７７およびボタン（操作部、タッチパッド用ボタン）７８と、第１端部（第１辺、後面）６４と第２端部（第２辺、前面）６５との間の位置で本体部１２の前後方向の中程（中間部、中央部）に設けられ、キーボード７６の前端７６Ａ或いはタッチパッド７７よりも後側で、キーボード７６の後端７６Ｂよりも前側に一対に設けられた第１軸８１と、本体キャビネット６１の内側で（メインバッテリ８７よりも）後方寄りに設けられるとともにＣＰＵ等の回路部品８２が実装された第１のプリント回路板８３と、本体キャビネット６１の内側で前方寄りの位置に第１のプリント回路板８３と分離して設けられるとともに第１のプリント回路板８３とフレキシブルケーブル等で接続されたコネクタ用の基板９３と、コネクタ用の基板９３上に設けられた第２コネクタ９４（部品）と、アーム部１４が後述する第１位置Ｐ１および第２位置Ｐ２にあるときに、第１軸８１にトルクを付与する第１付与部（第１ブレーキ部、第１抵抗ユニット）９６と、を有する。
【００４１】
第２コネクタ９４は、屈曲部５５で迂回された（屈曲部５５で避けた、屈曲部５５から外れた）位置（箇所、部位、地点）で本体部１２（の第１側面６８の近傍）に設けられる部品の一例であるが、部品の例としてはこれに限定されない。部品は、ハードディスクドライブやＳＳＤ等の記憶装置、バッテリ、回路部品を実装したプリント回路板、ヒートパイプやフィンユニット、ファンユニットを含む冷却装置、液晶ディスプレイ等の表示パネル、タッチパネル、アンテナ、カメラ、スピーカ等の音響部品、操作用のボタン、各種メモリーカードおよび各種認証用カードのスロット、無線ＬＡＮ等の通信用モジュール、その他の部品であってもよい。
【００４２】
続いて、図１８と図１９を参照してポータブルコンピュータ１１の形態を変更する際の動作について説明する。
【００４３】
図１８中の２点鎖線で示す状態では、表示画面２２Ａが本体部１２の方向を向いた状態（対向状態）で、表示部１３が本体部１２に重なった状態、いわゆる可搬形態（表示部１３が閉じた閉形態）となっている。そして、第２軸２８周りに表示部１３を回転させると、図１８に実線で示すように、通常（表示部１３が開いた開形態）のノートブック型のポータブルコンピュータ１１の使用形態となる。これらの状態では、アーム部１４は第１位置Ｐ１と呼ばれる位置にあり、この第１位置Ｐ１では表示部１３の第２軸２８は本体部１２の第１端部６４の近傍（付近）に位置している。図１８に示すようにアーム部１４が第１位置Ｐ１にあるときには、表示部１３の一方の端部３４は凹部（凹面、凹所）７１内に嵌って（嵌合して、係合して）これに収納される。また、アーム部１４が第１位置Ｐ１にあるときには、第２コネクタ９４（部品）が屈曲部５５によって迂回されて（屈曲部５５で避けて、屈曲部５５から外れて）いるため、アーム部１４が第２コネクタ９４と干渉する（当たる、ぶつかる、邪魔になる）ことがない（図１８等参照）。
【００４４】
そして、この状態から図１９に示すようにアーム部１４を前方向に回動させると、表示部１３の第２軸２８が本体部１２の第２端部６５の近傍（付近）に位置（隣接して配置）される。このとき、この位置のアーム部１４の位置を第２位置Ｐ２と呼ぶ。図１９に実線で示したものは、机上で使用する際の形態であり、いわゆるタブレット形態（机上形態）の一つである（第１のタブレット形態）。さらに、この状態から、表示部１３を第２軸２８周りに回転させると、図１９中に２点鎖線に示すように、表示画面２２Ａが本体部１２とは反対の方向を向いた状態で、表示部１３が本体部１２に重なった状態、つまりキーボード７６が隠れた（覆われた、収納された）タブレット形態となる（第２のタブレット形態）。このタブレット形態では、表示部１３の第２軸２８は、本体部１２の第２端部６５（第１傾斜部６５Ａ）に重なっている。このため、本体部１２の厚み方向における寸法および表示部１３の厚み方向における寸法の大きくなりやすい軸（第２軸２８）周りで寸法（長さ、幅）が大きくなることが防止されている。
【００４５】
第２の実施形態によれば、ポータブルコンピュータ１１は、第１端部６４と、第１端部６４とは反対側の第２端部６５と、第１端部６４と第２端部６５との間に位置した第１軸８１と、を有する本体部１２と、本体部１２に近い側の端部の近傍に位置する第２軸２８と、表示画面２２Ａと、を有する表示部１３と、第１軸８１と第２軸２８とを連結するとともに途中に屈曲部５５を有し、第２軸２８を第１端部６４の近傍（付近）に位置させた第１位置Ｐ１と、第２軸２８を第２端部６５の近傍に位置させた第２位置Ｐ２と、の間で回動するように第１軸８１周りに回動可能なアーム部１４と、アーム部１４が第１位置Ｐ１にあるときに、屈曲部５５で迂回された位置（屈曲部５５で避けた位置、屈曲部５５から外れた位置）で本体部１２に設けられた部品（部材、装置、器具）と、を備える。
【００４６】
この構成によれば、部品が屈曲部５５で迂回されているため、第１位置Ｐ１にアーム部１４が位置したときに、部品とアーム部１４とが干渉することがない。これによって、部品の設置スペースを確保して本体部１２内のスペースを有効活用できるとともに、本体部１２の厚み寸法を低減して薄型化・小型化を実現できる。
【００４７】
本体部１２は、窪み部（開口部、凹所）を有し、該窪み部は、屈曲部５５に沿って窪むとともに、アーム部１４が第２位置Ｐ２にあるときにアーム部１４を収納できる。この構成によれば、アーム部１４が第２位置Ｐ２にあるときに、アーム部１４の位置が安定し、表示部１３がぐらつくのを防止できる。
【００４８】
本体部１２は、表示部１３に対向するとともにキーボード７６が設けられた第１面６６と、第１面６６とは反対側の第２面６７と、を有し、第１軸８１は、第１面６６と第２面６７との間の位置に設けられ、アーム部１４が第１位置Ｐ１にあるときに、表示部１３はキーボード７６よりも後側に位置される。この構成によれば、第１軸８１、表示部１３がキーボード操作時に邪魔になることがなく、キーボード７６の操作性を向上できる。
【００４９】
続いて、図２０、図２１を参照して、電子機器の第３の実施形態について説明する。第３の実施形態の電子機器の一例であるポータブルコンピュータ１１は、第１軸８１の位置、一対のアーム部（連結部、接続部）１４の形状、および第１窪み部７２の形状が第１の実施形態と異なっているが、他の部分で第１の実施形態と概ね共通している。このため、主として第１の実施形態と異なる部分について説明し、共通する箇所については共通の符号を付して説明を省略する。
【００５０】
第３の実施形態では、アーム部１４の一方が、アーム部１４の他方と左右対称形（鏡像）であることは第１の実施形態と同様である。アーム部１４のそれぞれは、剛性を有した（剛体からなる）棒状（ポール状、パイプ状、ダクト状）をなしており、より具体的には、第２位置Ｐ２にあるときに、全体として後述する第２コネクタ９４（部品）のある方向とは反対側に凸になった（突出した、張り出した）弓形（円弧状、アーチ状）の棒状をなしている（図２１参照）。アーム部１４は、例えば合成樹脂材料によって断面（切り口）が方形（四角形）で中空（内側に空洞を有する）の形状に形成されている。左側のアーム部１４の内部の収納部内に本体部１２の第１のプリント回路板８３と表示部１３の第２のプリント回路板２６とを接続したハーネス４１（ＬＣＤハーネス、ケーブル）が通される。右側のアーム部１４の内部の収納部内には、本体部１２の第１のプリント回路板８３と表示部１３のカメラ２４とを接続する第１ケーブル４４と、本体部１２の第１のプリント回路板８３と表示部１３のアンテナ２５とを接続する第２ケーブル４５と、が通される。
【００５１】
アーム部１４のそれぞれは、本体部１２の第１軸（第１回転中心、第１支え部）８１に対して固定的（回転しないように）に設けられた第１端（第１保持部）５１と、第１端５１から直線的（まっすぐに）に延びる第１部分５２と、表示部１３の第２軸２８に対して固定的（回転しないように）に設けられた第２端（第２保持部）５３と、第２端５３から直線的に延びる第２部分５４と、第１部分５２と第２部分５４とを連結した屈曲部（湾曲部、角部、曲げ部）５５と、を有している。なお、第１軸８１は、本体部１２のそれ以外の部分に対して回転可能に設けられ、第２軸２８（第２回転中心、第２支え部）は、表示部１３のそれ以外の部分に対して回転可能に設けられているため、アーム部１４のそれぞれは、実質的に第１軸８１周りおよび第２軸２８周りに回動可能である。
【００５２】
本体部１２は、例えば、合成樹脂によって箱状（容器状）に形成される本体キャビネット６１（本体ケース、第１筐体））を有している。本体キャビネット６１は、後側の第１端部６４（第１辺、後面）と、前側の第２端部６５（第２辺、前面）と、表示部１３に対向する第１面６６（上面）と、第１面６６から表示部１３方向に向けて突出した一対の凸部９７と、第１面６６とは反対側の第２面６７と、第１面６６および第２面６７とそれぞれ交差（直交）するとともに第１端部６４および第２端部６５と連続した一対の第１側面６８と、第１面６６上で第１端部６４の近傍に設けられ、表面から略半円（円弧状）に窪んだ凹部７１と、後述するキーボード（操作部、入力部）７６から外れた位置で第１面６６から窪んで設けられる一対の第１窪み部（第１開口部、第１凹所）７２と、を有している。第２端部６５は、第１面６６側に設けられ第１面６６に対して斜めになった（交差した、勾配をなした）第１傾斜部６５Ａと、第２面６７側に設けられ第２面６７に対して斜めになった（交差した、勾配をなした）第２傾斜部６５Ｂと、を有している。このため、第２端部６５は、本体部１２の他の部分よりも厚み寸法が小さくなっている。なお、本体キャビネット６１とディスプレイキャビネット２１により、ポータブルコンピュータ１１の筐体が構成されている。
【００５３】
図２０等に示すように、本実施形態では、一対の第１窪み部７２は、（第２コネクタ９４よりも）本体部１２の後方に寄って設けられている。各第１窪み部７２は、本体キャビネット６１の第１側面６８に沿って溝状に延びており、アーム部１４の屈曲部５５およびその他の部分に沿って窪んでいる。各第１窪み部７２は、第１位置Ｐ１にあるアーム部１４をその内側に収納することができる。
【００５４】
本体部１２は、本体キャビネット６１の外側に取り付けられるキーボード７６と、本体キャビネット６１の外側に取り付けられるタッチパッド（タッチセンサ、接触感知部、ポインティングデバイス）７７およびボタン（操作部、タッチパッド用ボタン）７８と、第１端部（第１辺、後面）６４と第２端部（第２辺、前面）６５との間の位置に一対に設けられた第１軸８１と、コネクタ用の基板９３上に設けられた第２コネクタ９４（部品）と、を有する。第２コネクタ９４は、（凸部９７よりも）本体部１２の（の第１側面６８の近傍で）前方寄りに設けられている。
【００５５】
第２コネクタ９４は、屈曲部５５で迂回された（屈曲部５５で避けた、屈曲部５５から外れた）位置（箇所、部位、地点）で本体部１２（の第１側面６８の近傍）に設けられる部品の一例であるが、部品の例としてはこれに限定されない。部品は、ハードディスクドライブやＳＳＤ等の記憶装置、バッテリ、回路部品を実装したプリント回路板、ヒートパイプやフィンユニット、ファンユニットを含む冷却装置、液晶ディスプレイ等の表示パネル、タッチパネル、アンテナ、カメラ、スピーカ等の音響部品、操作用のボタン、各種メモリーカードおよび各種認証用カードのスロット、無線ＬＡＮ等の通信用モジュール、その他の部品であってもよい。
【００５６】
第１軸８１は、本体部１２の前後方向の中程（中間部、中央部）、つまりキーボード７６の前端７６Ａ或いはタッチパッド７７よりも後側で、キーボード７６の後端７６Ｂよりも前側で、第１面６６から表示部１３側に向けて突出した凸部９７に設けられている。すなわち、第１軸８１の位置は、キーボード７６或いは第１面６６よりも表示部１３側（上側、外側）である。
【００５７】
続いて、図２０と図２１を参照してポータブルコンピュータ１１の形態を変更する際の動作について説明する。
【００５８】
本実施形態では、ポータブルコンピュータ１１は、第１の実施形態の図１１に示すものと同様に、表示画面２２Ａが本体部１２の方向を向いた状態（対向状態）で、表示部１３が本体部１２に重なる状態、いわゆる可搬形態（表示部１３が閉じた閉形態）となることができる。そして、第２軸２８周りに表示部１３を回転させると、図２０に示すように、通常（表示部１３が開いた開形態）のノートブック型のポータブルコンピュータ１１の使用形態となる。これらの状態では、アーム部１４は第１位置Ｐ１と呼ばれる位置にあり、この第１位置Ｐ１では表示部１３の第２軸２８は本体部１２の第１端部６４の近傍（付近）に位置している。図２０に示すようにアーム部１４が第１位置Ｐ１にあるときには、表示部１３の一方の端部は凹部（凹面、凹所）７１内に嵌って（嵌合して、係合して）いる。
【００５９】
そして、この状態から図２１に示すようにアーム部１４を前方向に回動させると、表示部１３の第２軸２８が本体部１２の第２端部６５の近傍（付近）に位置（隣接して配置）される。このとき、この位置のアーム部１４の位置を第２位置Ｐ２と呼ぶ。図２１に示したものは、机上で使用する際の形態であり、いわゆるタブレット形態（机上形態）の一つ（第１のタブレット形態）である。さらに、この状態から、表示部１３を第２軸２８周りに回転させると、第１の実施形態の図１５に示すものと同様に、表示画面２２Ａが本体部１２とは反対の方向を向いた状態で、表示部１３が本体部１２に重なった状態、つまりキーボード７６が隠れた（覆われた、収納された）タブレット形態となる（第２のタブレット形態）。このタブレット形態では、表示部１３の第２軸２８は、本体部１２の第２端部６５（第１傾斜部６５Ａ）に重なっている。このため、本体部１２の厚み方向における寸法および表示部１３の厚み方向における寸法の大きくなりやすい軸（第２軸２８）周りで寸法（長さ、幅）が大きくなることが防止されている。また、アーム部１４が第２位置Ｐ２にあるときには、第２コネクタ９４（部品）が屈曲部５５によって迂回されて（屈曲部５５で避けて、屈曲部５５から外れて）いるため、アーム部１４が第２コネクタ９４と干渉する（当たる、ぶつかる、邪魔になる）ことがない。
【００６０】
第３の実施形態によれば、部品が屈曲部５５で迂回されているため、第２位置Ｐ２にアーム部１４が位置したときに、部品とアーム部１４とが干渉することがない。これによって、部品の設置スペースを確保して本体部１２内のスペースを有効活用できるとともに、本体部１２の厚み寸法を低減して薄型化・小型化を実現できる。また、アーム部１４が第１位置Ｐ１にあるときに第１窪み部７２にアーム部１４を収納できるため、アーム部１４の位置が安定し、第１位置Ｐ１にあるときに表示部１３のぐらつきを防止できる。
【００６１】
電子機器は、上記実施形態に示したポータブルコンピュータ１１に限らず、例えば携帯電話機、テレビのようなその他の電子機器に対しても当然に実施可能である。
【００６２】
さらに、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、本願出願の当初の特許請求の範囲に記載された発明を付記する。
［１］
後側の第１端部と、前側の第２端部と、前記第１端部および前記第２端部に連続する一対の第１側面と、を含んだ第１筐体と、前記第１側面の近傍で前後方向における中程に一対に設けられた第１軸と、を有した本体部と、
一対の第２側面と、前記本体部に近い側の端部と、を含んだ第２筐体と、前記第２側面の近傍で前記本体部に近い側の端部の近傍に位置する一対の第２軸と、表示画面と、を有した表示部と、
前記第１軸と前記第２軸とを連結するとともに途中に屈曲部を有し、前記第２軸を前記第１端部の近傍に位置させた第１位置と、前記第２軸を前記第２端部の近傍に位置させた第２位置と、の間で回動するように前記第１軸周りに回動可能な一対のアーム部と、
前記アーム部が前記第２位置にあるときに、前記屈曲部で迂回された位置で前記本体部の前記第１側面の近傍に設けられた部品と、
を備える電子機器。
［２］
前記第２位置にある前記アーム部は、前記部品とは反対側に向けて凸になるように曲がった［１］に記載の電子機器。
［３］
前記本体部は、窪み部を有し、該窪み部は、前記屈曲部に沿って窪むとともに、前記アーム部が前記第１位置にあるときに前記アーム部を収納できる［１］に記載の電子機器。
［４］
前記第１位置および前記第２位置にある前記アーム部に所定のトルクを付与して前記アーム部を前記第１軸周りに回動しにくくする付与部を備える［１］に記載の電子機器。
［５］
前記第２端部は、前記本体部の他の部分よりも厚み寸法が小さくなっており、
前記第２軸は、前記アーム部が前記第２位置にあるときに前記第２端部に重なる［１］に記載の電子機器。
［６］
前記本体部は、前記アーム部が前記第１位置にあるときに、前記表示部の前記本体部に近い側の端部を収納する凹部を有する［１］に記載の電子機器。
［７］
前記本体部は、
前記表示部に対向するとともにキーボードが設けられた第１面と、
前記第１面とは反対側の第２面と、
前記キーボードを外れた位置で前記本体部に設けられるとともに、前記第１位置にある前記アーム部を収納できる窪み部と、
を有し、
前記第１軸は、前記第１面と前記第２面との間の位置に設けられ、
前記アーム部が前記第１位置にあるときに、前記表示部は前記キーボードよりも後側に位置される［１］に記載の電子機器。
［８］
後側の第１端部と、前側の第２端部と、前記第１端部および前記第２端部に連続する一対の第１側面と、を含んだ第１筐体と、前記第１側面の近傍で前後方向における中程に一対に設けられた第１軸と、を有した本体部と、
一対の第２側面と、前記本体部に近い側の端部と、を含んだ第２筐体と、前記第２側面の近傍で前記本体部に近い側の端部の近傍に位置する一対の第２軸と、表示画面と、を有した表示部と、
前記第１軸と前記第２軸とを連結するとともに途中に屈曲部を有し、前記第２軸を前記第１端部の近傍に位置させた第１位置と、前記第２軸を前記第２端部の近傍に位置させた第２位置と、の間で回動するように前記第１軸周りに回動可能な一対のアーム部と、
前記アーム部が前記第１位置にあるときに、前記屈曲部で迂回された位置で前記本体部の前記第１側面の近傍に設けられた部品と、
を備える電子機器。
［９］
前記第１位置にある前記アーム部は、前記部品とは反対側に向けて凸になるように曲がった［８］に記載の電子機器。
［１０］
前記本体部は、窪み部を有し、該窪み部は、前記屈曲部に沿って窪むとともに、前記アーム部が前記第２位置にあるときに前記アーム部を収納できる［８］に記載の電子機器。
［１１］
前記第１位置および前記第２位置にある前記アーム部に所定のトルクを付与して前記アーム部を前記第１軸周りに回動しにくくする付与部を備える［８］に記載の電子機器。
［１２］
前記第２端部は、前記本体部の他の部分よりも厚み寸法が小さくなっており、
前記第２軸は、前記アーム部が前記第２位置にあるときに前記第２端部に重なる［８］に記載の電子機器。
［１３］
前記本体部は、前記アーム部が前記第１位置にあるときに、前記表示部の前記本体部に近い側の端部を収納する凹部を有する［８］に記載の電子機器。
［１４］
前記本体部は、
前記表示部に対向するとともにキーボードが設けられた第１面と、
前記第１面とは反対側の第２面と、
を有し、
前記第１軸は、前記第１面と前記第２面との間の位置に設けられ、
前記アーム部が前記第１位置にあるときに、前記表示部は前記キーボードよりも後側に位置される［８］に記載の電子機器。
［１５］
前後方向における中程に第１軸を有する本体部と、
前記本体部に近い側の端部の近傍に位置する第２軸と、表示画面と、を有する表示部と、
前記第１軸と前記第２軸とを連結するとともに途中に屈曲部を有し、前記第１軸周りに回動可能なアーム部と、
前記屈曲部で迂回された位置で前記本体部に設けられた部品と、
を備える電子機器。
［１６］
第１端部と、前記第１端部とは反対側の第２端部と、前記第１端部と前記第２端部との間に位置した第１支え部と、を有する第１ユニットと、
前記第１ユニットに近い側の端部の近傍に位置する第２支え部と、表示画面と、を有する第２ユニットと、
前記第１支え部と前記第２支え部とを連結するとともに途中に曲げ部を有し、前記第１支え部周りに回動可能な連結部と、
前記曲げ部から外れた位置で前記第１ユニットに設けられた部品と、
を備える電子機器。
【符号の説明】
【００６３】
１１…ポータブルコンピュータ、１２…本体部、１３…表示部、１４…アーム部、２２Ａ…表示画面、２８…第２軸、３４…一方の端部、３５…他方の端部、５５…屈曲部、６４…第１端部、６５…第２端部、７２…第１窪み部、７６…キーボード、８１…第１軸、８２…回路部品、９４…第２コネクタ、９６…第１付与部、Ｐ１…第１位置、Ｐ２…第２位置
【図１】
0005284499.tif 000002
【図２】
0005284499.tif 000003
【図３】
0005284499.tif 000004
【図４】
0005284499.tif 000005
【図５】
0005284499.tif 000006
【図６】
0005284499.tif 000007
【図７】
0005284499.tif 000008
【図８】
0005284499.tif 000009
【図９】
0005284499.tif 000010
【図１０】
0005284499.tif 000011
【図１１】
0005284499.tif 000012
【図１２】
0005284499.tif 000013
【図１３】
0005284499.tif 000014
【図１４】
0005284499.tif 000015
【図１５】
0005284499.tif 000016
【図１６】
0005284499.tif 000017
【図１７】
0005284499.tif 000018
【図１８】
0005284499.tif 000019
【図１９】
0005284499.tif 000020
【図２０】
0005284499.tif 000021
【図２１】
0005284499.tif 000022